(57)【要約】      （修正有）【課題】ドアを閉扉する動作に苦心する車椅子利用者、障害、高齢により機敏に動作することが困難でドアに挟まれないため速やかに通過することやドアを開扉させた状態で抑え付けながら通過することが重労働な利用者に、安心して通過できるドアの遅延作動装置を提供する。【解決手段】ドアの遅延差動装置を、通常位置と操作位置とに選択的に位置変換自在で、選択後自動的に通常位置に変位する動力伝達手段であるドアクローザーと併用して取付けられ、遅延手段であるガンギ車１４とアンクル１５を有し、遅延手段と動力伝達手段との間に配置される制御手段とを備え、制御手段は動力伝達手段の変位を制御する様設置され、制御手段は遅延手段によりある時間経過後制御解除する様設置され、機械式タイマーを有する遅延手段によりドアが開扉後ある時間経過後に閉扉を開始する構成とした。【選択図】図７
2015055139.tif 000002
【特許請求の範囲】
【請求項１】
通常位置と操作位置とに選択的に位置変換自在で、選択後自動的に前記通常位置に変位する動力伝達手段と併用して取付けられ、
遅延手段であるガンギ車とアンクルを有し、該遅延手段と前記動力伝達手段との間に配置される制御手段とを備え、
前記制御手段は動力伝達手段の変位を制御する機構を有し、制御手段は遅延手段により
ある時間経過後制御解除することを特徴とする遅延作動装置を提供する。
【請求項２】
利用者の操作により、ドアが閉扉している通常位置から開扉状態である操作位置に位置変換されると、
前記制御手段を介して、前記動力伝達手段、前記遅延手段及びドアが連動し、
該伝達手段の動作に連動して前記ドアが開扉方向へ移動し、前記動力伝達手段は操作位置へ位置変換し、
利用者の操作が終了すると、前記ドアが閉扉方向へ移動し、前記動力伝達手段は通常位置へ位置変換することを特徴とする請求項１記載の遅延作動装置。
【請求項３】
前記遅延手段は機械式タイマーを有し、該機械式タイマーはゼンマイバネを備え、該ゼンマイバネの弾性力を該遅延手段の動力として用いることを特徴とする請求項１記載の遅延作動装置。
【請求項４】
前記遅延手段は機械式タイマーを有し、該機械式タイマーは振り子を備え、該振り子又は前記制御手段と連動する錘の位置エネルギーを該遅延手段の動力として用いることを特徴とする請求項１記載の遅延作動装置。
【請求項５】
前記制御手段は一体化した制御開始壁と制御維持壁を有する制御杆と変換器を有し、変換器が制御開始壁を押下することにより制御開始壁と共に制御維持壁が回転し、変換器が通過、その後動力伝達手段の反力により通常位置への変位を制御維持壁が変換器と衝突することにより制御され、ある時間経過後前記遅延手段により基の位置へ回転することにより制御維持壁と変換器の衝突が回避され、通常位置へ変位することを特徴とする請求項１記載の遅延作動装置。
【請求項６】
前記制御手段は一体化した制御開始壁と制御維持壁を有する制御歯車と変換器を有し、変換器が制御開始壁を押下することにより制御開始壁と共に制御維持壁が回転し、変換器が通過、その後動力伝達手段の反力により通常位置への変位を制御維持壁が変換器と衝突することにより制御され、ある時間経過後前記遅延手段により基の位置へ回転することにより制御維持壁と変換器の衝突が回避され、通常位置へ変位することを特徴とする請求項１記載の遅延作動装置。
【発明の詳細な説明】
【技術分野】
【０００１】
本発明は、本発明は、操作と同時に始動し、停止操作から作動停止までにはタイムラグが生じるようにした装置に係わり、より具体的には引戸及び回転扉を含むドアクローザーにおける遅延作動装置に関する。          
【背景技術】
【０００２】
従来、汎用されているドアクローザーはリンク機構又はギヤ構造内に動力を蓄積できるバネ若しくは気体又は液体シリンダー機構を有し、利用者がドアを開扉する動力の一部を蓄積し開扉動作が終了すると同時に蓄積された動力を蓄積時とは逆方向の反力として開放し、閉扉動作を開始しドアの閉め忘れを防止し閉扉動作の自動化を行う。
【先行技術文献】
【特許文献】
【０００３】
【特許文献１】特開平６−４０５２２号  公報
【特許文献２】特開平１１−１０７３４５号  公報
【特許文献３】特開２００３−２２７４５６号  公報
【特許文献４】特開２００４−２９３６９０号  公報
【特許文献５】特開２００７−１２９８１４号  公報
【発明の概要】
【発明が解決しようとする課題】
【０００４】
しかしながら、動力を取込み後、速やかに閉扉動作を行うことによる弊害もある。ドアクローザーを使用する利用者の中にはドアを閉扉する動作に苦心する車椅子利用者も含まれており、彼らの中には障害、高齢により機敏に動作することが困難な場合があり、ドアに挟まれないため速やかに通過、若しくはドアを開扉させた状態で抑え付けながら通過しなければならず、通過が重労働となる。
【課題を解決するための手段】
【０００５】
上記課題を解決するために、請求項１に記載された発明によれば、通常位置と操作位置とに選択的に位置変換自在で、選択後自動的に前記通常位置に変位する動力伝達手段に併用して取付けられ、遅延手段であるガンギ車１４とアンクル１５を有し、遅延手段と動力伝達手段との間に配置される制御手段とを備え、
制御手段は動力伝達手段の変位を制御し、制御手段は遅延手段によりある時間経過後しないと解除されない様制御されていることを特徴とする遅延作動装置を提供している。
【０００６】
すなわち、通常位置より操作位置へ変位した時動力伝達手段により動力が蓄積され、解放時には蓄積時と逆方向への反力として利用されるための前記反力により通常位置へ変位しようとするが、制御手段に制御され、その制御手段はガンギ車１４とアンクル１５を有する遅延手段にある時間拘束される様設置されている。
【０００７】
又請求項２に記載された発明によれば、請求項１に対し、利用者３の操作により閉扉状態の通常位置と開扉状態の操作位置とに選択的に位置変換自在な動力伝達手段であるドアクローザー２と併用して取付けられ、利用者３がドア１を開閉扉すると作動する。
【０００８】
すなわち、利用者３がドア１を開扉し、操作を終了すると、ドア１はドアクローザー２により通常位置の閉扉状態へ戻ろうとするが、制御手段により制御されてしまい、制御手段は遅延手段に制御される。
【０００９】
又請求項３に記載された発明によれば、請求項１に対し遅延手段は機械式タイマー１１を有し、そのタイマーはゼンマイバネ１２に可動する。すなわち、ある時間経過すると機械式タイマー１１になっているためゼンマイバネ１２による動力は伝達し、徐々にガンギ車１４は回転され、遅延手段は解除される。
【００１０】
又請求項４に記載された発明によれば、請求項１に対し遅延手段は機械式タイマー１１を有し、そのタイマーは振り子１２又は別途設けられた錘１３の位置エネルギーを利用して、制御手段との衝突で振り子１２又は錘１３は持上げられ、徐々にガンギ車１４は回転され、遅延手段は解除される。
【００１１】
又請求項５に記載された発明によれば、請求項１に対し制御手段は制御開始壁２２と制御維持壁２３を有する制御杆２１と変換器２４を有し、変換期２４に押され、制御開始壁２２と制御維持壁２３が一体化しており同様に回転するため、変換器が通過後動力伝達手段であるドアクローザー２の反力により通常位置への変位へ移動しようとするが制御維持壁２３が変換器２４と衝突することにより制御され、ある時間経過しガンギ車１４が基の位置へ回転後制御維持壁２３と変換器２４の衝突が回避され、通常位置へ変位することができる。変換器２４又は変換器２４と衝突する制御開始壁２２又は制御維持壁２３衝突部に衝突抵抗を軽減するベアリング２６又はカムフォロアーを設置することにより円滑な動きができる。
【００１２】
又請求項６に記載された発明によれば、請求項５に対し制御杆２１ではなく、歯車２５で形成される。動力伝達し易く、他歯車と同時成型できるため量産に向いている。
【００１３】
機械式タイマー１１を有する遅延手段によりドア１が開扉後ある時間経過後ドア１が閉扉開始するため車椅子利用者も安心して通過できる。
【図面の簡単な説明】
【００１４】
【図１】本発明の引戸開扉方向移動時の一実施例
【図２】図１の通常位置A内部要部一実施例
【図３】図２の通常位置B内部要部一実施例
【図４】図２の通常位置から操作位置へ変換時B内部要部一実施例
【図５】図２の操作位置B内部要部一実施例
【図６】図２の操作位置から通常位置へ変換時B内部要部一実施例
【図７】図３の遅延手段に振り子、制御手段に杆を利用した通常位置C内部要部一実施例
【図８】図３の遅延手段に振り子、制御手段に杆を利用した制御位置C内部要部一実施例
【図９】図３の遅延手段にゼンマイバネ、制御手段に杆を利用した通常位置C内部要部一実施例
【図１０】図３の遅延手段にゼンマイバネ、制御手段に杆を利用した操作位置C内部要部一実施例
【図１１】図３の遅延手段にゼンマイバネ、制御手段に歯車を利用した通常位置C内部要部一実施例
【図１２】図３の遅延手段にゼンマイバネ、制御手段に歯車を利用した操作位置C内部要部一実施例
【図１３】図３の遅延手段に振り子、制御手段に歯車を利用した通常位置C内部要部一実施例
【図１４】図３の遅延手段に振り子、制御手段に歯車を利用した制御位置C内部要部一実施例
【図１５】図３の遅延手段に振り子、制御手段に歯車を利用した通常位置C内部要部一実施例
【図１６】図３の遅延手段に振り子、制御手段に歯車を利用した制御位置C内部要部一実施例
【発明を実施するための形態】
【００１５】
以下本発明の実施の形態を図１〜図１６に基付いて説明する。
図１において、利用者３が遅延作動装置を有するドアクローザー２が設置されているドア１が開扉することを示す。
【００１６】
図２は図１のドアクローザー２内Ａ要部であり、ドア１は滑車８に支持され、利用者３により移動した場合、ドア接続金具９、ベルト６、プーリー５を通じ渦巻きバネ７により反力を受け初期通常位置に戻ろうとする。又変換器２４はドア１と板一体化して可動し且つ移動時制御室２０に接触する様設置されている。
【００１７】
図３は図２の制御室２０内Ｂ要部を示し通常時接続金具９と一体化した変換器２４と制御杆２１の一実施例を示す。図内制御杆２１は制御開始壁２２と制御維持壁２３を示す。
【００１８】
図４は図２の制御室２０内Ｂ要部を示し通常時から操作時へ変換時の接続金具９と一体化した変換器２４と制御杆２１の一実施例を示す。制御開始壁２２が変換器２４と衝突し回転していることを示す。
【００１９】
図５は図２の操作時を示す。変換器２４の通過により制御開始壁２２と制御維持壁２３が回転したことを示す。
【００２０】
図６は図２の制御室２０内Ｂ要部を示し操作時から通常時へ変換時制御維持壁２３が変換器２４と衝突し回転しようとしていることを示す。但し、遅延普段により徐々に回転する。
【００２１】
図７は通常時図３内Ｃ要部を示し、制御手段として制御杆２１、遅延手段として振り子１３を使用した一実施例を示す。
【００２２】
図８は操作時図３内Ｃ要部を示し、制御手段として制御杆２１、遅延手段として振り子１３を使用した一実施例を示す。
【００２３】
図９は通常時図３内Ｃ要部を示し、制御手段として制御杆２１、遅延手段としてゼンマイバネ１２を使用した一実施例を示す。ゼンマイバネ１２はヒゲゼンマイも含む。又アンクル１５によりゼンマイバネ１２の荷重方向を切換え伝達している。
変換器２４が制御杆２１と衝突し、制御杆２１を回転させる。
【００２４】
図１０は操作時図９を示す。制御時はガンギ車１４の歯角により回転し難く、変換器２４が制御杆２１と衝突し変換器２４が一旦停止し、ゼンマイ１２の動力で回転するガンギ車１４により歯車を介し連動した制御杆２１の回転が進み変換器２４と干渉しない位置まで回転後変換器２４は通常位置へ変位する。
【００２５】
図１１は通常時図３内Ｃ要部を示し、制御手段として制御歯車２５、遅延手段としてゼンマイバネ１２を使用した一実施例を示す。
【００２６】
図１２は操作時図１１を示す。変換器２４はベアリング２６により制御される。ゼンマイ１２によりベアリング２６が変換器２４と干渉しない位置まで回転後通常位置へ変位する。
【００２７】
図１３は通常時図３内Ｃ要部を示し、制御手段として制御歯車２５、遅延手段として振り子１３を使用した一実施例を示す。
【００２８】
図１４は操作時図１３を示す。変換器２４はベアリング２６により制御される。振り子１３よりベアリング２６が変換器２４と干渉しない位置まで回転後通常位置へ変位する。
【００２９】
図１５は通常時図３内Ｃ要部を示し、制御手段として制御歯車２５、遅延手段として振り子１３を使用した一実施例を示す。制御歯車２５は変換器２４により回転する。
【００３０】
図１６は操作時図１５を示す。制御歯車２５は変換器２４により回転を開始し途中より自重で回転が促進されもう一端が接触するまで回転していることを示す。
【産業上の利用可能性】
【００３１】
車椅子を利用する障害者、高齢者がドアクローザー付ドアを開扉後閉扉し挟まれるのではと心配することなく余裕を持って通過できる。
【符号の説明】
【００３２】
１  ドア
２  ドアクローザー
３  利用者
４  框
５  プーリー
６  ベルト
７  渦巻きバネ
８  滑車
９  ドア連結金具
１０  遅延室
１１  機械式タイマー
１２  ゼンマイバネ
１３  振り子
１４  ガンギ車
１５  アンクル
１６  テンプ
２０  制御室
２１  制御杆
２２  制御開始壁
２３  制御維持壁
２４  変換器
２５  制御歯車
２６  ベアリング
【図１】
2015055139.tif 000003
【図２】
2015055139.tif 000004
【図３】
2015055139.tif 000005
【図４】
2015055139.tif 000006
【図５】
2015055139.tif 000007
【図６】
2015055139.tif 000008
【図７】
2015055139.tif 000009
【図８】
2015055139.tif 000010
【図９】
2015055139.tif 000011
【図１０】
2015055139.tif 000012
【図１１】
2015055139.tif 000013
【図１２】
2015055139.tif 000014
【図１３】
2015055139.tif 000015
【図１４】
2015055139.tif 000016
【図１５】
2015055139.tif 000017
【図１６】
2015055139.tif 000018